【手続補正書】
【提出日】平成19年1月23日(2007.1.23)
【手続補正１】
【補正対象書類名】明細書
【補正対象項目名】請求項６
【補正方法】変更
【補正の内容】
【請求項６】  ３個以上の振幅値を有する多値信号を識別する識別回路であって、
外部から入力される多値信号を３分岐して、第１〜第３の多値信号を出力する第１の分岐部と、
第１の分岐部から出力される第１の多値信号の波形を、所定の条件下で整形する第１の波形整形回路と、
第１の波形整形回路の出力信号から、第１の基準レベルを検出する第１の検出回路と、
第１の分岐部から出力される第２の多値信号の波形を、所定の条件下で整形する第２の波形整形回路と、
第２の波形整形回路の出力信号から、第２の基準レベルを検出する第２の検出回路と、
第１および第２の基準レベルに基づいて、必要な数の閾値を生成する閾値生成回路と、
閾値生成回路により生成された閾値と、第１の分岐部から出力される第３の多値信号の振幅とを比較する比較回路と、
比較回路による比較結果に基づいて、制御信号を生成する制御信号生成回路とを備え、
第１の波形整形回路は、制御信号生成回路から出力される制御信号に基づいて、入力される第１の多値信号の波形を、第１の検出回路が第１の基準レベルを正しく検出可能な波形に整形し、
第２の波形整形回路は、制御信号生成回路から出力される制御信号に基づいて、入力される第２の多値信号の波形を、第２の検出回路が第２の基準レベルを正しく検出可能な波形に整形する、識別回路。
【手続補正２】
【補正対象書類名】明細書
【補正対象項目名】請求項１０
【補正方法】変更
【補正の内容】
【請求項１０】  ３個以上の振幅値を有する多値信号を識別する識別回路であって、
外部から入力される多値信号を２分岐する第１の分岐部と、
第１の分岐部から出力される一方の多値信号の波形を、所定の条件下で整形する第１の波形整形回路と、
第１の波形整形回路の出力信号の波形を、所定の条件下で整形する第２の波形整形回路と、
第２の波形整形回路の出力信号が与えられ、当該出力信号から、第１の基準レベルを検出する第１の検出回路と、
第２の波形整形回路の出力信号が与えられ、当該出力信号から、第２の基準レベルを検出する第２の検出回路と、
第１および第２の基準レベルに基づいて、必要な数の閾値を生成する閾値生成回路と、
閾値生成回路により生成された閾値と、第１の分岐部から出力される他方の多値信号の振幅とを比較する比較回路と、
比較回路による比較結果に基づいて、制御信号を生成する制御信号生成回路とを備え、
第１の波形整形回路は、制御信号生成回路から出力される制御信号に基づいて、入力される多値信号の波形を、第１の検出回路が第１の基準レベルを正しく検出可能な波形に整形し、
第２の波形整形回路は、制御信号生成回路から出力される制御信号に基づいて、前記第１の波形整形回路の出力信号の波形を、第２の検出回路が第２の基準レベルを正しく検出可能な波形に整形する、識別回路。
【手続補正３】
【補正対象書類名】明細書
【補正対象項目名】００１７
【補正方法】変更
【補正の内容】
【００１７】
第６の発明は、３個以上の振幅値を有する多値信号を識別する識別回路であって、
外部から入力される多値信号を３分岐して、第１〜第３の多値信号を出力する第１の分岐部と、
第１の分岐部から出力される第１の多値信号の波形を、所定の条件下で整形する第１の波形整形回路と、
第１の波形整形回路の出力信号から、第１の基準レベルを検出する第１の検出回路と、
第１の分岐部から出力される第２の多値信号の波形を、所定の条件下で整形する第２の波形整形回路と、
第２の波形整形回路の出力信号から、第２の基準レベルを検出する第２の検出回路と、
第１および第２の基準レベルに基づいて、必要な数の閾値を生成する閾値生成回路と、
閾値生成回路により生成された閾値と、第１の分岐部から出力される第３の多値信号の振幅とを比較する比較回路と、
比較回路による比較結果に基づいて、制御信号を生成する制御信号生成回路とを備え、
第１の波形整形回路は、制御信号生成回路から出力される制御信号に基づいて、入力される第１の多値信号の波形を、第１の検出回路が第１の基準レベルを正しく検出可能な波形に整形し、
第２の波形整形回路は、制御信号生成回路から出力される制御信号に基づいて、入力される第２の多値信号の波形を、第２の検出回路が第２の基準レベルを正しく検出可能な波形に整形する。
【手続補正４】
【補正対象書類名】明細書
【補正対象項目名】００２１
【補正方法】変更
【補正の内容】
【００２１】
第１０の発明は、３個以上の振幅値を有する多値信号を識別する識別回路であって、
外部から入力される多値信号を２分岐する第１の分岐部と、
第１の分岐部から出力される一方の多値信号の波形を、所定の条件下で整形する第１の波形整形回路と、
第１の波形整形回路の出力信号の波形を、所定の条件下で整形する第２の波形整形回路と、
第２の波形整形回路の出力信号が与えられ、当該出力信号から、第１の基準レベルを検出する第１の検出回路と、
第２の波形整形回路の出力信号が与えられ、当該出力信号から、第２の基準レベルを検出する第２の検出回路と、
第１および第２の基準レベルに基づいて、必要な数の閾値を生成する閾値生成回路と、
閾値生成回路により生成された閾値と、第１の分岐部から出力される他方の多値信号の振幅とを比較する比較回路と、
比較回路による比較結果に基づいて、制御信号を生成する制御信号生成回路とを備え、
第１の波形整形回路は、制御信号生成回路から出力される制御信号に基づいて、入力される多値信号の波形を、第１の検出回路が第１の基準レベルを正しく検出可能な波形に整形し、
第２の波形整形回路は、制御信号生成回路から出力される制御信号に基づいて、第１の波形整形回路の出力信号の波形を、第２の検出回路が第２の基準レベルを正しく検出可能な波形に整形する。
【手続補正５】
【補正対象書類名】明細書
【補正対象項目名】００４０
【補正方法】変更
【補正の内容】
【００４０】
なお、識別回路Ｄ１の前段に光受信器Ｒｘが設置されていない場合（つまり、電気伝送系の場合）、基準レベル生成回路５は、基準電位生成回路で構成されることが好ましい。基準レベル生成回路５は、多値信号ＭＳの基底レベル（つまり、振幅値「Ｚ」）と同じ電位を生成する。
【手続補正６】
【補正対象書類名】明細書
【補正対象項目名】００４４
【補正方法】変更
【補正の内容】
【００４４】
ここで、図１（ａ）の多値信号ＭＳを振幅弁別する場合、一般的に３個の閾値Ｔｈ1 ’、Ｔｈ2 ’およびＴｈ3 ’は、ある振幅値と、その１レベル下の振幅値との中心レベルに選ばれることが好ましいので、通常、振幅値「Ｚ」を基準として５ΔＶ／２、３ΔＶ／２およびΔＶ／２と選ばれる。この場合、（Ｔｈ1 ／Ｔｈ1 ’）＝（Ｔｈ2 ／Ｔｈ2 ’）＝（Ｔｈ3 ／Ｔｈ3 ’）＝２／３という関係が成立する。ゆえに、閾値Ｔｈ1 、Ｔｈ2 およびＴｈ3 を用いて、第１の分岐部２から出力される他方の多値信号ＭＳを正確に振幅弁別するには、抵抗値Ｒ71およびＲ72は、Ｒ71：Ｒ72＝１：２が成立するように選ばれることが好ましい。かかる場合、振幅調整回路７は、図３（ｂ）に示すように、入力された他方の多値信号ＭＳの振幅が２／３に分圧された信号ＯＳ7 を生成し、比較回路８に与える。
【手続補正７】
【補正対象書類名】明細書
【補正対象項目名】００４９
【補正方法】変更
【補正の内容】
【００４９】
制御信号生成回路１０は、ＮW ＞ＮREF を満たすと判断した場合、現在受信中の多値信号ＭＳ中に、振幅値「Ｗ」が偏って存在しているとみなして、「Ｈｉ」を有する制御信号ＣＳを生成する。
一方、制御信号生成回路１０は、ＮW ≦ＮREF を満たすと判断した場合、現在受信中の多値信号ＭＳ中に、振幅値「Ｗ」が偏って存在していないとみなして、「Ｌｏ」の制御信号ＣＳを生成する。
以上のようにして、制御信号ＣＳは生成される。この生成方法によれば、図１（ａ）の多値信号ＭＳが識別回路Ｄ１に入力された場合、時間区間Ｔ1 およびＴ3 の間、実質的に「Ｌｏ」の値を有する制御信号ＣＳが生成され、波形整形回路３に送信される。また、時間区間Ｔ2 の間、実質的に「Ｈｉ」の値を有する制御信号ＣＳが波形整形回路３に送信される。なお、ＮPRE 、ＮW およびＮREF の選び方によっては、制御信号ＣＳの「Ｈｉ」および「Ｌｏ」の期間は若干ずれる。